(57)【要約】【課題】一見するだけで薬剤の投与量及び残量を確認することができる注射器用ラベル及び注射器を提供する。【解決手段】  注射器１の筒部１０の周壁に貼付され、目盛り部３１を備えた注射器用ラベル３、又は筒部１０の周壁に目盛り部３１を設けた注射器１において、前記目盛り部３１は、残量を表す数値として前記筒部１０の先端部に向かうに従って減算表示される数字３６ａを付した残量目盛り線３４と、投与量を表す数値として前記筒部１０の先端部に向かうに従って加算表示される数字３７を付した投与量目盛り線３５とを備える。【選択図】図１
0003126523.tif 000002
【実用新案登録請求の範囲】
【請求項１】
注射器の筒部の周壁に貼付され、目盛り部を備えた注射器用ラベルにおいて、
前記目盛り部は、残量を表す数値として前記筒部の先端部に向かうに従って減算表示される数字を付した残量目盛り線と、投与量を表す数値として前記筒部の先端部に向かうに従って加算表示される数字を付した投与量目盛り線とを備えることを特徴とする、注射器用ラベル。
【請求項２】
筒部の周壁に目盛り部を備えた注射器において、
前記目盛り部は、残量を表す数値として前記筒部の先端部に向かうに従って減算表示される数字を付した残量目盛り線と、投与量を表す数値として前記筒部の先端部に向かうに従って加算表示される数字を付した投与量目盛り線とを備えることを特徴とする、注射器。
【考案の詳細な説明】
【技術分野】
【０００１】
本考案は、注射器用ラベル及び注射器に関する。
【背景技術】
【０００２】
注射器には、目盛り線に数字を適宜付した目盛り部が設けられ、通常、該目盛り線には、注射器の筒内に残された薬剤の量（残量）を容積（単位：ｍｌ）で表した数字が付されている。
【０００３】
しかしながら、前記のような目盛り部では、医師や看護師等が投与量を知りたい場合には、容量及び残量に基づいて投与量をわざわざ算出する必要があった。特に、１ｍｌ当たりを所定数の単位で換算した投与量を知りたい場合には、残量が前記のように容積で表示されていると、まず、容量及び残量を前記所定数の単位で換算し、その換算した数字に基づいて投与量をその都度算出しなければならず、即座に投与量及び残量を確認することができないという問題点があった。
【考案の開示】
【考案が解決しようとする課題】
【０００４】
したがって、本考案は、一見するだけで薬剤の投与量及び残量を確認することができる注射器用ラベル及び注射器を提供することを課題とする。
【課題を解決するための手段】
【０００５】
前記課題を解決するための手段として、本考案は、注射器用ラベルを以下のように構成する。注射器の筒部の周壁に貼付され、目盛り部を備えた注射器用ラベルにおいて、前記目盛り部は、残量を表す数値として前記筒部の先端部に向かうに従って減算表示される数字を付した残量目盛り線と、投与量を表す数値として前記筒部の先端部に向かうに従って加算表示される数字を付した投与量目盛り線とを備える。
【０００６】
また、本考案は、前記課題を解決するための手段として、注射器を以下のように構成する。筒部の周壁に目盛り部を備えた注射器において、前記目盛り部は、残量を表す数値として前記筒部の先端部に向かうに従って減算表示される数字を付した残量目盛り線と、投与量を表す数値として前記筒部の先端部に向かうに従って加算表示される数字を付した投与量目盛り線とを備える。
【考案の効果】
【０００７】
前記手段によれば、容量及び残量に基づいて投与量を算出する必要がなく、一見するだけで薬剤の投与量及び残量を確認することができる。また、１ｍｌ当たりを所定数の単位で換算した投与量が表示されている場合には、わざわざ容量及び残量を前記所定数の単位で換算し、その換算した数字に基づいて投与量を算出する煩わしさがなくなる。
【考案を実施するための最良の形態】
【０００８】
以下、本考案の実施の形態を添付の図面に従って説明する。
【０００９】
図１（ａ）は、本考案の実施形態に係る注射器１の平面図であり、図１（ｂ）は、その注射器１の底面図である。注射器１は、図３に示したように、１時間当たり一定の流量で患者に薬剤を自動投与することができるシリンジポンプ２に装着して使用するものであり、合成樹脂からなる周壁にラベル３が貼付された筒部１０と、該筒部１０の後端部に設けられた開口部より内部に挿入されたプランジャーロッド１１とを備える。筒部１０の先端部には、輸液ライン４と接続するノーズ１２が形成されている。筒部１０の後端部には、鍔部１３が形成されている。プランジャーロッド１１は、合成樹脂からなり、その先端部には、不図示のガスケットが取り付けられ、その後端部には、円形プレート状のヘッド部１４が設けられている。
【００１０】
筒部１０の周壁に貼付されたラベル３は、透明状のフィルム部材からなり、該透明フィルム部材に着色印刷された矩形状の表示部３０と目盛り部３１とを備える。表示部３０の上段には、注射器１に充填された薬剤の種類や容量等の情報が表示される。表示部３０の下段には、黒色で印刷された矩形状部３２が設けられ、該矩形状部３２には、製造番号及び使用期限等の情報が表示される。目盛り部３１は、筒部１０の長手方向に沿って延在した軸線３３と、該軸線３３に対して垂直方向に延在した残量目盛り線３４と、該残量目盛り線３４とは反対側の方向に延在した投与量目盛り線３５とからなる。残量目盛り線３４は、筒部１０の周壁の長手方向に沿って１ｍｌ毎に等間隔に配置されている。残量目盛り線３４は、長寸目盛り線３４ａと短寸目盛り線３４ｂとからなる。長寸目盛り線３４ａは、短寸目盛り線３４ｂより太幅に構成され、５ｍｌ毎に配置されている。短寸目盛り線３４ｂは、前記長寸目盛り線３４ａが配置されている位置を除き、１ｍｌ毎に配置されている。各長寸目盛り線３４ｂの先端部には、矩形状の残量表示部３６がそれぞれ設けられている。各残量表示部３６には、残量を表す数字３６ａが付され、この数値は、筒部１０の先端部に向かうに従って５ずつ減算表示されている。投与量目盛り線３５は、１ｍｌ当たり２００単位換算の１，０００単位毎に等間隔に配置されている。各投与量目盛り線３５の先端部付近には、前記単位換算の投与量を表す数字３７がそれぞれ付され、この数値は、筒部１０の先端部に向かうに従って１，０００ずつ加算表示されている。
【００１１】
前記構成からなる注射器１は、図３に示したように、ラベル３の目盛り部３１を上方に向けた状態でシリンジポンプ２に装着される。看護師等が１時間当たりの流量を設定して注入の開始操作を行うと、シリンジポンプ２のスライダ２０がプランジャーロッド１１のヘッド部１５を押しながら筒部１０の先端部の方向に向かって一定速度で移動し、１時間当たり、一定量の薬剤が患者に自動的に投与される。薬剤の自動投与中に、医師及び看護師等は筒部１０に添付されたラベル３を一見すれば、残量及び投与量を確認することができるので、わざわざ投与量又は残量を算出したり、１ｍｌ当たり所定数の単位に換算した投与量等を算出したりする必要がない。
【００１２】
なお、前記実施例においては、目盛り部３１を印刷したラベル３が筒部１０に貼付され、このラベル３を一見すれば残量及び投与量を確認することができるように構成されているが、目盛り部３１を注射器１の筒部１０に直接印刷し、残量及び投与量を確認することができるように構成してもよい。
【００１３】
また、目盛り部３１の残量目盛り線３４及び投与量目盛り線３５の構成は、前記のようなものに限定されず、例えば、図４に示したように、残量目盛り線３４及び投与量目盛り線３５を１本の軸線３３から互いに反対方向に延在させ、寸法の異なる３つの投与量目盛り線３５を２５０単位毎に適宜配置したり、図５に示したように、残量目盛り線３４及び投与量目盛り線３５をそれぞれ異なる軸線３３から互いに反対方向に延在させ、投与量目盛り線３５を１，０００単位毎に配置し、かつ、残量目盛り線３４を５ｍｌ毎にのみ配置したり、図６及び図７に示したように、残量目盛り線３４及び投与量目盛り線３５を１本の軸線３３から互いに反対方向に延在させ、投与量目盛り線３５を１，０００単位毎に配置し、かつ、残量目盛り線３４を５ｍｌ毎に配置する等、目盛り部３１の残量目盛り線３４及び投与量目盛り線３５を前記実施例と異なるような構成にしてもよい。
【図面の簡単な説明】
【００１４】
【図１】（ａ）は、本考案の実施形態に係る注射器の平面図であり、（ｂ）は、本考案の実施形態に係る注射器の底面図である。
【図２】図１の注射器の筒部に添付されたラベルの展開図である。
【図３】図１の注射器を装着した状態のシリンジポンプの斜視図である。
【図４】図２のラベルの変形例を示す展開図である。
【図５】図２のラベルの変形例を示す展開図である。
【図６】図２のラベルの変形例を示す展開図である。
【図７】図２のラベルの変形例を示す展開図である。
【符号の説明】
【００１５】
１  注射器
１０  筒部
１１  プランジャーロッド
１２  ノーズ
１３  鍔部
１４  ヘッド部
２  シリンジポンプ
２０  スライダ
３  ラベル
３０  表示部
３１  目盛り部
３２  矩形状部
３３  軸線
３４  残量目盛り線
３５  投与量目盛り線
４  接続ノズル
【図１】
0003126523.tif 000003
【図２】
0003126523.tif 000004
【図３】
0003126523.tif 000005
【図４】
0003126523.tif 000006
【図５】
0003126523.tif 000007
【図６】
0003126523.tif 000008
【図７】
0003126523.tif 000009
【手続補正書】
【提出日】平成18年8月28日(2006.8.28)
【手続補正１】
【補正対象書類名】実用新案登録請求の範囲
【補正対象項目名】請求項１
【補正方法】変更
【補正の内容】
【請求項１】
目盛り部を備えた注射器用ラベルが筒部の周壁に貼付された注射器において、
前記目盛り部は、残量を表す数値として前記筒部の先端部に向かうに従って減算表示される数字を付した残量目盛り線と、投与量を表す数値として前記筒部の先端部に向かうに従って加算表示される数字を付した投与量目盛り線とを備えることを特徴とする、注射器。
【手続補正２】
【補正対象書類名】明細書
【補正対象項目名】０００５
【補正方法】変更
【補正の内容】
【０００５】
前記課題を解決するための手段として、本考案は、注射器用ラベルを以下のように構成する。目盛り部を備えた注射器用ラベルを、注射器の筒部の周壁に貼付し、前記目盛り部は、残量を表す数値として前記筒部の先端部に向かうに従って減算表示される数字を付した残量目盛り線と、投与量を表す数値として前記筒部の先端部に向かうに従って加算表示される数字を付した投与量目盛り線とを備える。